(57)【特許請求の範囲】
【請求項１】
閉じた状態で高圧活線を取り囲むように取り付けられ、ばね力によって当該閉じた状態に向けて付勢される開閉可能なクランプ部と、当該クランプ部を前記閉じた状態に固定するための固定手段とを備え、前記高圧活線に流れる電流により前記クランプ部に誘起される磁場に基づいて当該電流を測定するクランプ式電流計を、前記高圧活線に取り付け又は取り外しする高圧活線電流計の着脱方法であって、
前記クランプ式電流計を取り付ける工程が、
前記クランプ式電流計を所定の保持具にて保持しつつ、前記クランプ部に予め一端が掛止されたリング部材の他端を所定の操作具にて引く動作により当該クランプ部を開くステップと、
前記所定の保持具による前記保持の下で、前記クランプ部を前記高圧活線を取り囲むように配置し、その状態で前記引く動作を停止するステップと、
前記所定の保持具による前記保持の下で、前記所定の操作具にて、前記クランプ部を前記閉じた状態に固定するように前記固定手段を操作するステップと、
前記所定の保持具を前記クランプ式電流計から取り除くステップと、
を備えたことを特徴とする高圧活線電流計の着脱方法。
【請求項２】
前記クランプ式電流計が取り付けられた前記高圧活線における、当該クランプ式電流計の両端部に対応する所定部位の少なくとも一方に対して、電気的絶縁性を有する係止手段を取り付けるステップを更に備えたことを特徴とする請求項１に記載の高圧活線電流計の着脱方法。
【請求項３】
前記クランプ式電流計を取り外す工程が、
前記クランプ式電流計を前記所定の保持具にて保持しつつ、前記所定の操作具にて、前記クランプ部の前記閉じた状態の固定を解除するように前記固定手段を操作するステップと、
前記所定の保持具による前記保持の下で、前記リング部材の前記他端を前記所定の操作具にて引く動作により前記クランプ部を開くステップと、
前記所定の保持具による前記保持の下で、前記クランプ部を前記高圧活線から離間させるステップと、
を備えたことを特徴とする請求項１又は２に記載の高圧活線電流計の着脱方法。
【請求項４】
前記所定の保持具は、保持すべき前記クランプ式電流計の前記クランプ部に対応する面が開口した絶縁容器と、当該絶縁容器を一端部にて着脱可能な絶縁操作棒とを備えたことを特徴とする請求項１乃至３の何れかに記載の高圧活線電流計の着脱方法。
【請求項５】
前記所定の保持具の前記絶縁容器における、前記保持すべきクランプ式電流計の前記固定手段に対応する部分は、更に開口していることを特徴とする請求項４に記載の高圧活線電流計の着脱方法。
【請求項６】
前記所定の操作具は、バインドを打つためのバインド打器と、当該バインド打器を一端部にて着脱可能な絶縁操作棒とを備え、
前記バインド打器にて前記クランプ式電流計の前記固定手段を摺動させることにより、前記クランプ部の閉じた状態の固定又は当該固定の解除を行う、
ことを特徴とする請求項１乃至５の何れかに記載の高圧活線電流計の着脱方法。
【発明の詳細な説明】
【技術分野】
【０００１】
本発明は、高圧活線に対する電流計の着脱方法、特にクランプ式記録電流計の間接活線工法における着脱方法に関する。
【背景技術】
【０００２】
電線中の通過電流を無切断で計測し記録する記録電流計として、ＣＴクランプ式記録電流計が知られている。この記録電流計は、電線をその軸線と交差するように取り囲み、内部にて通過電流に応じた磁場を発生させるための開閉可能なＣＴクランプ（クランプ部）を備えている。ここで、ＣＴとは、変流器（Ｃｕｒｒｅｎｔ  Ｔｒａｎｓｆｏｒｍｅｒ）を意味する。記録電流計は、このＣＴクランプにより電線を取り囲んだ状態で、当該ＣＴクランプ内で発生した磁場の強度に基づき、当該電線を流れる電流を計測する。
【特許文献１】特開昭６４−３８６６２号公報
【発明の開示】
【発明が解決しようとする課題】
【０００３】
しかしながら、高圧活線に適用される記録電流計の場合、その取り付け又は取り外しは間接活線工法によって行われなければならないが、当該工法において使用される既製の専用工具は高価である上に、取り付ける記録電流計の台数分だけ必要である。このため、高圧活線に対する測定業務におけるコスト面での負担が大きくなる虞がある。一方、このような専用工具以外の間接活線工具を暫定的に使用して記録電流計を高圧活線に取り付け又は取り外しすることは非常に困難である。このため、高圧活線に対する測定業務における作業効率が低下する虞がある。
【０００４】
本発明は、かかる課題に鑑みてなされたものであり、その目的とするところは、高圧活線に対する測定業務を低コスト化且つ高効率化する高圧活線電流計の着脱方法を提供することにある。
【課題を解決するための手段】
【０００５】
前記課題を解決するための発明は、閉じた状態で高圧活線を取り囲むように取り付けられ、ばね力によって当該閉じた状態に向けて付勢される開閉可能なクランプ部と、当該クランプ部を前記閉じた状態に固定するための固定手段とを備え、前記高圧活線に流れる電流により前記クランプ部に誘起される磁場に基づいて当該電流を測定するクランプ式電流計を、前記高圧活線に取り付け又は取り外しする高圧活線電流計の着脱方法であって、前記クランプ式電流計を取り付ける工程が、前記クランプ式電流計を所定の保持具にて保持しつつ、前記クランプ部に予め一端が掛止されたリング部材の他端を所定の操作具にて引く動作により当該クランプ部を開くステップと、前記所定の保持具による前記保持の下で、前記クランプ部を前記高圧活線を取り囲むように配置し、その状態で前記引く動作を停止するステップと、前記所定の保持具による前記保持の下で、前記所定の操作具にて、前記クランプ部を前記閉じた状態に固定するように前記固定手段を操作するステップと、前記所定の保持具を前記クランプ式電流計から取り除くステップと、を備えてなる。
【０００６】
この高圧活線電流計の着脱方法によれば、前記クランプ式電流計を前記所定の保持具にて保持しつつ、前記リング部材の前記他端を前記所定の操作具にて引く動作を行うことによって、前記ばね力に抗して前記クランプ部を開くことができる。また、前記クランプ部を前記高圧活線を取り囲むように配置し、その状態で、前記所定の操作具による前記引く動作を停止することによって、前記ばね力を開放して前記クランプ部を前記高圧活線に吊り下げることができる。更に、前記所定の操作具にて、前記クランプ部を閉じた状態で固定するように前記固定手段を操作した後、前記所定の保持具を前記クランプ式電流計から取り除くことによって、前記クランプ式電流計を前記高圧活線に対して確実に吊り下げることができる。これにより、高圧活線電流計の着脱方法における前記取り付け工程を効率的に実施できる。一方、前記所定の保持具を、例えば、電気的絶縁性を有する容器からなるものとし、前記所定の操作具を、例えば、電気的絶縁性を有するバインド打器等からなるものとすれば、これらの工具は比較的簡単な構成を有するが故に、比較的安価な間接活線工具となり得る。従って、高圧活線に対する測定業務を低コスト化且つ高効率化できる。
【０００７】
また、かかる高圧活線電流計の着脱方法において、前記クランプ式電流計が取り付けられた前記高圧活線における、当該クランプ式電流計の両端部に対応する所定部位の少なくとも一方に対して、電気的絶縁性を有する係止手段を取り付けるステップを更に備えてなることが好ましい。
【０００８】
この高圧活線電流計の着脱方法によれば、前記クランプ式電流計が取り付けられた前記高圧活線における、当該クランプ式電流計の両端部に対応する所定部位の少なくとも一方に対して、電気的絶縁性を有する係止手段を取り付けることによって、当該クランプ式電流計の当該高圧活線の軸線方向における移動を防止できる。よって、前記高圧活線の電流を正確に計測できる。従って、高圧活線に対する測定業務は高効率化される。
【０００９】
また、かかる高圧活線電流計の着脱方法において、前記クランプ式電流計を取り外す工程が、前記クランプ式電流計を前記所定の保持具にて保持しつつ、前記所定の操作具にて、前記クランプ部の前記閉じた状態の固定を解除するように前記固定手段を操作するステップと、前記所定の保持具による前記保持の下で、前記リング部材の前記他端を前記所定の操作具にて引く動作により前記クランプ部を開くステップと、前記所定の保持具による前記保持の下で、前記クランプ部を前記高圧活線から離間させるステップと、を備えてなることが好ましい。
【００１０】
この高圧活線電流計の着脱方法によれば、前記クランプ式電流計を前記所定の保持具にて保持しつつ、前記所定の操作具にて、前記クランプ部の前記閉じた状態の固定を解除するように前記固定手段を操作した後、前記リング部材の前記他端を前記所定の操作具にて引く動作を行い、前記クランプ部を前記高圧活線から離間させることによって、前記ばね力に抗して前記クランプ部を開きつつ前記高圧活線から前記クランプ式電流計を確実に取り外すことができる。ここで、前述したように、前記所定の保持具及び前記所定の操作具は、比較的安価な間接活線工具でよい。よって、高圧活線に対する測定業務を低コスト化且つ高効率化できる。
【００１１】
また、かかる高圧活線電流計の着脱方法において、前記所定の保持具は、保持すべき前記クランプ式電流計の前記クランプ部に対応する面が開口した絶縁容器と、当該絶縁容器を一端部にて着脱可能な絶縁操作棒とを備えてなることが好ましい。また、かかる高圧活線電流計の着脱方法において、前記所定の保持具の前記絶縁容器における、前記保持すべきクランプ式電流計の前記固定手段に対応する部分は、更に開口してなることが好ましい。また、かかる高圧活線電流計の着脱方法において、前記所定の操作具は、バインドを打つためのバインド打器と、当該バインド打器を一端部にて着脱可能な絶縁操作棒とを備え、前記バインド打器にて前記クランプ式電流計の前記固定手段を摺動させることにより、前記クランプ部の閉じた状態の固定又は当該固定の解除を行う、ことが好ましい。
【００１２】
この高圧線電流計着脱方法によれば、前記所定の保持具及び前記所定の操作具は、簡単な構成を有するが故に、安価な間接活線工具である。従って、高圧活線に対する測定業務が低コスト化される。
【発明の効果】
【００１４】
高圧活線に対する測定業務を低コスト化且つ高効率化できる。
【発明を実施するための最良の形態】
【００１５】
＝＝＝記録電流計の構成＝＝＝
図１を参照しつつ、本実施の形態の高圧活線電流計の着脱方法の適用対象である記録電流計１０の構成について説明する。同図における正面外観にて示されるように、本実施の形態の記録電流計１０は、主として、一対のＣＴクランプ（クランプ部）１２ａ、１２ｂと、本体１４とから構成されている。一方のＣＴクランプ１２ａ（図１中左側）は、本体１４に固定されており、他方のＣＴクランプ１２ｂ（図１中右側）は、本体１４に軸支されて図１中左側のＣＴクランプ１２ａに対して開閉可能となっている。この開閉を手動で行う場合、ＣＴクランプ１２ｂの端部に一体に設けられたハンドル１２ｃを操作するようになっている。ＣＴクランプ１２ｂは、ＣＴクランプ１２ａに対して常時閉じた状態をなすように適宜ばね付勢されている。また、図１における本体１４の右側面には、ＣＴクランプ１２ｂに対するロック機構（固定手段）１６が設けられている。本実施の形態のロック機構１６は、ロック釦１６ａと、本体１４側面にて当該ロック釦１６ａを図１中上下方向に摺動可能とする摺動溝１６ｂとからなっている。このロック釦１６ａが摺動溝１６ｂに対して図１中上部に設定されれば、当該ロック釦１６ａにハンドル１２ｃが係止されたＣＴクランプ１２ｂは、ＣＴクランプ１２ａに対して閉じた状態を保ったまま固定されるようになっている。一方、このロック釦１６ａが摺動溝１６ｂに対して図１中下部に設定されれば、ハンドル１２ｃは本体１４に軸支されて回動し、ばね付勢に抗してＣＴクランプ１２ａ、１２ｂどうしを開くことが可能となる。
【００１６】
本実施の形態の記録電流計１０は、高圧活線Ａを中心とし、当該高圧活線Ａの周りに発生する磁場の強度から、当該高圧活線Ａに流れる電流値を測定して記録するメモリカード式記録電流計である。つまり、一対のＣＴクランプ１２ａ、１２ｂ内に発生する磁場の強度を計測すべく、当該ＣＴクランプ１２ａ、１２ｂは、例えばコイル（不図示）が適宜巻回されたコア（不図示）等から形成されている。
【００１７】
＝＝＝間接活線工具の構成＝＝＝
図２を参照しつつ、本実施の形態の高圧活線電流計の着脱方法に用いられるアタッチメント用工具（保持具）２０の構成について説明する。同図に示されるように、本実施の形態のアタッチメント用工具２０は、主として、記録電流計１０を収納するための絶縁容器２２と、当該絶縁容器２０を一端部にて着脱可能な絶縁操作棒２４とから構成されている。
【００１８】
絶縁容器２２は、略直方体形状をなし電気的絶縁性を有するプラスチック製ケースであって鉛直方向上面が開口部２２ａを有するものである。絶縁容器２２に収納された記録電流計１０のＣＴクランプ１２ａ、１２ｂは、この開口部２２ａから露出するようになっている。また、絶縁容器２２は、開口部２２ａから鉛直方向下部に更に切り欠かれて形成された開口部２２ｂを有している。絶縁容器２２に収納された記録電流計１０のロック機構１６は、この開口部２２ｂから露出するようになっている。
【００１９】
絶縁操作棒２４は、その先端が、絶縁容器２２の底部外面に設けられた電気的絶縁性を有するプラスチック製筒及びステンレス製キャップからなるアダプタ２２ｃと互いに脱着可能となっているものである。尚、本実施の形態のアダプタ２２ｃ及び絶縁操作棒２４は、広く製品化された間接活線工具と同様の構成を有するものであってよい。
【００２０】
図３を参照しつつ、本実施の形態の高圧活線電流計の着脱方法に用いられるバインド打用工具（操作具）３０の構成について説明する。同図に示されるように、本実施の形態のバインド打用工具３０は、主として、バインドを打つためのステンレス製のバインド打器３２と、当該バインド打器３２を一端部にて着脱可能な絶縁操作棒３４とから構成されている。ここで、絶縁操作棒３４は、その先端が、バインド打器３２の端部に設けられたステンレス製キャップからなるアダプタ３２ａと互いに脱着可能となっているものである。尚、本実施の形態のバインド打用工具３０は、広く製品化された間接活線工具と同様の構成を有するものであってよい。
【００２１】
＝＝＝高圧活線電流計の着脱方法＝＝＝
＜＜＜取り付け動作＞＞＞
図面を参照しつつ、本実施の形態における、記録電流計１０を高圧活線Ａに取り付ける動作について説明する。
【００２２】
図４のフローチャートに示されるように、一人の作業者は、記録電流計１０のロック機構１６を手動で解除し、ハンドル１２ｃを手動で操作してＣＴクランプ１２ａ、１２ｂを開き、本体１４に軸支されて回動可能なＣＴクランプ１２ｂの方にリング形状をなす絶縁紐（リング部材）４０を掛止する（図５参照）。このとき、図５に示されるように、掛止された絶縁紐４０を絶縁テープ４２でＣＴクランプ１２ｂに更に仮止めしておいてもよい（Ｓ１００）。
【００２３】
次に、前記の作業者が、アタッチメント用工具２０を適宜操作して記録電流計１０を高圧活線Ａに適宜近づける。ここで、もう一人の作業者は、バインド打用工具３０を適宜操作してバインド打器３２の先端を絶縁紐４０に引っ掛けてこれを引っ張り、ばね付勢に抗してＣＴクランプ１２ａ、１２ｂを開く（Ｓ１０１）。
【００２４】
次に、アタッチメント用工具２０にて記録電流計１０を保持し、バインド打用工具３０にて絶縁紐４０を引っ張り、ＣＴクランプ１２ａ、１２ｂを開いた状態で、２人の作業者は、当該工具２０、３０を適宜同時移動させて、開いたＣＴクランプ１２ａ、１２ｂに高圧活線Ａを囲繞させる（図６参照）。この状態で、絶縁紐４０からバインド打器３２を離して引っ張りを停止し、ＣＴクランプ１２ａ、１２ｂを高圧活線Ａに吊り下げる（Ｓ１０２）。
【００２５】
次に、アタッチメント用工具２０にて記録電流計１０を保持した状態で、バインド打器３２の先端にて、絶縁容器２２の開口部２２ｂから露出したロック釦１６ａを摺動溝１６ｂに沿って鉛直方向上方に摺動させ（図７参照）、ＣＴクランプ１２ａ、１２ｂを閉じた態に固定する（Ｓ１０３）。
【００２６】
次に、図８の外観図に示されるように、アタッチメント用工具２０を鉛直方向下方に適宜移動し、記録電流計１０から絶縁容器２２を取り外す（Ｓ１０４）。
【００２７】
尚、必要に応じて、高圧活線Ａにおける記録電流計１０の両端部に対応する所定部位の少なくとも一方に対して、電気的絶縁性を有する絶縁ヤットコ（係止手段、不図示）を、適宜な間接活線工具にて取り付けてもよい。この所定部位とは、例えば、高圧活線Ａの軸線方向においてＣＴクランプ１２ａ、１２ｂを挟み込む２つの部位を意味する。これにより、記録電流計１０の高圧活線Ａの軸線方向における移動を防止できる。また、この絶縁ヤットコを高圧活線Ａの所定部位に取り付ける作業は、ステップＳ１００の前に予め行ってもよいし、ステップＳ１０４の後に行ってもよい。
【００２８】
＜＜＜取り外し動作＞＞＞
図９を参照しつつ、本実施の形態における、記録電流計１０を高圧活線Ａから取り外す動作について説明する。尚、取り外し動作は取り付け動作の略逆順である。同図のフローチャートに示されるように、アタッチメント用工具２０を鉛直方向上方に適宜移動し、記録電流計１０に絶縁容器２２を取り付ける（Ｓ２００）。次に、アタッチメント用工具２０にて記録電流計１０を保持した状態で、バインド打器３２の先端にて、絶縁容器２２の開口部２２ｂから露出したロック釦１６ａを摺動溝１６ｂに沿って鉛直方向下方に摺動させ、ＣＴクランプ１２ａ、１２ｂの閉じた状態の固定を解除する（Ｓ２０１）。次に、アタッチメント用工具２０にて記録電流計１０を保持した状態で、バインド打器３２の先端を絶縁紐４０に引っ掛けてこれを引っ張り、ばね付勢に抗してＣＴクランプ１２ａ、１２ｂを開く（Ｓ２０２）。次に、アタッチメント用工具２０にて記録電流計１０を保持し、且つバインド打用工具３０にて絶縁紐４０を引っ張った状態で、開いたＣＴクランプ１２ａ、１２ｂを高圧活線Ａから離間させる（Ｓ２０３）。
【００２９】
本実施の形態の高圧活線電流計の着脱方法によれば、高圧活線Ａに対する記録電流計１０の取り付け及び取り外しを効率的に実施できる。ここで、アタッチメント用工具２０及びバインド打用工具３０は、簡単な構成を有するが故に、安価な間接活線工具である。従って、高圧活線に対する測定業務を低コスト化且つ高効率化できる。
【００３０】
＝＝＝その他の実施の形態＝＝＝
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００３１】
前述した実施の形態においては、ロック機構１６の構成として、摺動溝１６ｂをロック釦１６ａが鉛直方向上下に摺動するものであったが、これに限定されるものではない。例えば、ロック釦１６ａは押下式のものであってもよく、この場合にはバインド打器３２の先端でこれを押下すればよい。
【００３２】
また、前述した実施の形態においては、操作工具としてバインド打用工具３０を使用したが、これに限定されるものではなく、絶縁紐４０を引っ張り、ロック釦１６ａを摺動させることができる構成を有する間接活線工具であればいかなるものでもよい。
【図面の簡単な説明】
【００３３】
【図１】本実施の形態の記録電流計の正面外観図である。
【図２】本実施の形態のアタッチメント用工具の斜視図である。
【図３】本実施の形態のバインド打用工具の正面図である。
【図４】本実施の形態の記録電流計取り付け手順を示すフローチャートである。
【図５】本実施の形態の記録電流計の取り付け手順の１ステップを示す外観図である。
【図６】本実施の形態の記録電流計の取り付け手順の１ステップを示すもう一つの外観図である。
【図７】本実施の形態の記録電流計の取り付け手順の１ステップを示す更にもう一つの外観図である。
【図８】本実施の形態の記録電流計の取り付け手順の１ステップを示す更に加えてもう一つの外観図である。
【図９】本実施の形態の記録電流計取り外し手順を示すフローチャートである。
【符号の説明】
【００３４】
１０  記録電流計
１２ａ、１２ｂ  ＣＴクランプ
１２ｃ  ハンドル
１４  本体
１６  ロック機構
１６ａ  ロック釦
１６ｂ  摺動溝
２０  アタッチメント用工具
２２  絶縁容器
２２ａ、２２ｂ  開口部
２２ｃ、３２ａ  アダプタ
２４、３４  絶縁操作棒
３０  バインド打用工具
３２  バインド打器
４０  絶縁紐
４２  絶縁テープ
【図１】
0004721636.tif 000002
【図２】
0004721636.tif 000003
【図３】
0004721636.tif 000004
【図４】
0004721636.tif 000005
【図５】
0004721636.tif 000006
【図６】
0004721636.tif 000007
【図７】
0004721636.tif 000008
【図８】
0004721636.tif 000009
【図９】
0004721636.tif 000010